(57)【要約】【課題】大量のコンテンツのなかから直感的に所望のコンテンツを探し出す表示制御装置等を提供する。【解決手段】  複数コンテンツのサムネイルを、複数コンテンツのサムネイルの日時情報毎に、所定期間の日時情報を示す日時表示に対応させて表示装置に表示させる表示制御部１５８と、ユーザ操作に応じて、表示装置に表示された複数コンテンツのサムネイルのいずれかを選択する選択部１５６と、を備え、表示制御部１５８は、選択部１５６により選択された一のコンテンツのサムネイルの日付情報に対応する１または２以上のコンテンツのサムネイルを、時計回りに時刻の新しいコンテンツのサムネイルを配置して表示装置２００に表示させる。【選択図】図１
2010033132.tif 000002
【特許請求の範囲】
【請求項１】
複数コンテンツのサムネイルを、前記複数コンテンツのサムネイルの日時情報毎に、所定期間の日時情報を示す日時表示に対応させて表示装置に表示させる表示制御部と、
ユーザ操作に応じて、前記表示装置に表示された前記複数コンテンツのサムネイルのいずれかを選択する選択部と、を備え、
前記表示制御部は、
前記選択部により選択された一のコンテンツのサムネイルの日付情報に対応する１または２以上のコンテンツのサムネイルを、時計回りに時刻の新しい前記コンテンツのサムネイルを配置して前記表示装置に表示させる、表示制御装置。
【請求項２】
前記表示制御部は、前記コンテンツのサムネイルを、１周１２時間の時計表示に対応させて時計回りに時刻の新しい前記コンテンツのサムネイルを配置して前記表示装置に表示させる、請求項１に記載の表示制御装置。
【請求項３】
前記表示制御部は、ユーザ操作に応じて、前記表示装置に表示されている期間から所定時間経過後または所定時間経過前の期間の日時情報を示す日時表示に対応する前記複数のコンテンツのサムネイルを表示する、請求項１および２のいずれかに記載の表示制御装置。
【請求項４】
前記表示制御部は、各コンテンツの長さを示す情報を各コンテンツのサムネイルの表示とともに前記表示装置に表示させる、請求項１〜３のいずれかに記載の表示制御装置。
【請求項５】
前記表示制御装置は、１または２以上の他の機器に接続され、
前記他の機器に記録されているコンテンツのサムネイルおよび日時情報を含むコンテンツリストを取得する取得部と、
前記取得部により取得された複数のコンテンツリストの前記日時情報に基づいてコンテンツのサムネイルを分類する分類部と、
を備える、請求項１〜４のいずれかに記載の表示制御装置。
【請求項６】
前記表示制御部は、前記表示制御装置に接続されている前記他の機器を示す表示を前記コンテンツのサムネイルとともに表示させる、請求項５に記載の表示制御装置。
【請求項７】
前記表示制御部は、
前記複数のコンテンツのサムネイルを、所定期間の日時情報を時系列に並べて表示させた日時表示に対応させて前記表示装置に表示させる、請求項１〜５のいずれかに記載の表示制御装置。
【請求項８】
前記表示制御部は、
所定期間の日時情報を時系列に並べて表示させた日時表示に対応する前記コンテンツの個数を示す表示を前記表示装置に表示させる、請求項７に記載の表示制御装置。
【請求項９】
前記表示制御部は、
前記複数のコンテンツのサムネイルを、所定期間の日付情報をカレンダー上に並べて表示させた日付表示に対応させて前記表示装置に表示させる、請求項１〜５のいずれかに記載の表示制御装置。
【請求項１０】
複数コンテンツのサムネイルを、前記複数コンテンツのサムネイルの日時情報毎に、所定期間の日時情報を示す日時表示に対応させて表示装置に表示させるステップと、
ユーザ操作に応じて、前記表示装置に表示された前記複数コンテンツのサムネイルのいずれかを選択するステップと、
前記選択された一のコンテンツのサムネイルの日付情報に対応する１または２以上のコンテンツのサムネイルを、時計回りに時刻の新しい前記コンテンツのサムネイルを配置して前記表示装置に表示させるステップと、
を含む表示制御方法。
【請求項１１】
コンピュータを、
複数コンテンツのサムネイルを、前記複数コンテンツのサムネイルの日時情報毎に、所定期間の日時情報を示す日時表示に対応させて表示装置に表示させる表示制御部と、
ユーザ操作に応じて、前記表示装置に表示された前記複数コンテンツのサムネイルのいずれかを選択する選択部と、を備え、
前記表示制御部は、
前記選択部により選択された一のコンテンツのサムネイルの日付情報に対応する１または２以上のコンテンツのサムネイルを、時計回りに時刻の新しい前記コンテンツのサムネイルを配置して前記表示装置に表示させる、表示制御装置として機能させるための、プログラム。
【発明の詳細な説明】
【技術分野】
【０００１】
本発明は、表示制御装置、表示制御方法およびプログラムに関し、特に、コンテンツのサムネイルを表示する表示制御装置、表示制御方法およびプログラムに関する。
【背景技術】
【０００２】
近年、静止画像や動画像を撮像して記録するデジタルカメラやデジタルビデオカメラ等の機器や、テレビジョン放送などの映像をハードディスクドライブやＤＶＤ等に記録するビデオレコーダなどの機器が一般に普及している。更に、大容量のメモリカードやハードディスクドライブ装置の利用も一般化してきていることも相俟って、一般ユーザが大量のデジタル画像コンテンツ（以降、コンテンツとも称する。）を保有することが可能となった。
【０００３】
一方、大量のコンテンツを保有する機器の中から、ユーザが所望のデジタル画像コンテンツを探し出すことは困難である。また、大量のコンテンツを保有する機器でなくとも、複数の機器に接続されて、当該機器が保有するデジタル画像コンテンツを再生したりする機器の場合にも、同様にユーザ所望のコンテンツを探し出すことは困難であった。
【０００４】
そこで、ユーザが所望のコンテンツを高速に検索することを可能とするために、コンテンツに対応付けられた時系列情報に基づいて、コンテンツを並べて表示する技術が開示されている（例えば、特許文献１、特許文献２）。
【０００５】
【特許文献１】特開２００６−２７７１８４号公報
【特許文献２】特開２００６−２８５４７１号公報
【発明の開示】
【発明が解決しようとする課題】
【０００６】
しかし、特許文献１や特許文献２のように、コンテンツを単に時系列に並べて表示しても、表示されたコンテンツのなかから直感的に所望のコンテンツを探し出すことは困難であるという問題があった。
そこで、本発明は、上記問題に鑑みてなされたものであり、本発明の目的とするところは、大量のコンテンツのなかから直感的に所望のコンテンツを探し出すことが可能な、新規かつ改良された表示制御装置、表示制御方法およびプログラムを提供することにある。
【課題を解決するための手段】
【０００７】
上記課題を解決するために、本発明のある観点によれば、複数コンテンツのサムネイルを、複数コンテンツのサムネイルの日時情報毎に、所定期間の日時情報を示す日時表示に対応させて表示装置に表示させる表示制御部と、ユーザ操作に応じて、表示装置に表示された複数コンテンツのサムネイルのいずれかを選択する選択部と、を備え、表示制御部は、選択部により選択された一のコンテンツのサムネイルの日付情報に対応する１または２以上のコンテンツのサムネイルを、時計回りに時刻の新しいコンテンツのサムネイルを配置して表示装置に表示させる、表示制御装置が提供される。
【０００８】
かかる構成によれば、複数コンテンツのサムネイルを、複数のコンテンツのサムネイルの日時情報毎に、所定期間の日時情報を示す日時表示に対応させて表示装置に表示させ、表示された複数コンテンツのサムネイルのいずれかを選択すると、選択された一のコンテンツのサムネイルの日付情報に対応する１または２以上のコンテンツのサムネイルを時計周りに時刻の新しいコンテンツのサムネイルを配置して表示装置に表示する。これにより、日時情報とともにコンテンツのサムネイルが表示されるため、ユーザは、いつ頃のコンテンツが存在しているのかを直感的に把握することが可能となる。
【０００９】
また、表示制御部は、コンテンツのサムネイルを、１周１２時間の時計表示に対応させて時計回りに時刻の新しいコンテンツのサムネイルを配置して表示装置に表示させてもよい。
【００１０】
上記表示制御部は、ユーザ操作に応じて、表示装置に表示されている期間から所定時間経過後または所定時間経過前の期間の日時情報を示す日時表示に対応する複数のコンテンツのサムネイルを表示してもよい。
【００１１】
また、表示制御部は、各コンテンツの長さを示す情報を各コンテンツのサムネイルの表示とともに表示装置に表示させてもよい。
【００１２】
上記表示制御装置は、１または２以上の他の機器に接続され、他の機器に記録されているコンテンツのサムネイルおよび日時情報を含むコンテンツリストを取得する取得部と、取得部により取得された複数のコンテンツリストの日時情報に基づいてコンテンツのサムネイルを分類する分類部と、を備えてもよい。
【００１３】
かかる構成によれば、表示制御装置に複数の外部機器が接続されている場合に、複数の外部機器に記録されているコンテンツリストを取得して、当該コンテンツリストに含まれているコンテンツのサムネイルの日時情報毎に分類する。これにより、複数の外部機器に記録されているコンテンツリストのすべてを収集して日付毎または日付および時間ごとに分類することが可能となり、記録されている外部機器を意識することなく、透過的にすべてのコンテンツを把握することが可能となる。
【００１４】
また、表示制御部は、表示制御装置に接続されている他の機器を示す表示をコンテンツのサムネイルとともに表示させてもよい。
【００１５】
また、表示制御部は、複数のコンテンツのサムネイルを、所定期間の日時情報を時系列に並べて表示させた日時表示に対応させて表示装置に表示させてもよい。
【００１６】
また、表示制御部は、所定期間の日時情報を時系列に並べて表示させた日時表示に対応するコンテンツの個数を示す表示を表示装置に表示させてもよい。
【００１７】
表示制御部は、複数のコンテンツのサムネイルを、所定期間の日付情報をカレンダー上に並べて表示させた日付表示に対応させて表示装置に表示させてもよい。
【００１８】
また、上記課題を解決するために、本発明の別の観点によれば、複数コンテンツのサムネイルを、複数コンテンツのサムネイルの日時情報毎に、所定期間の日時情報を示す日時表示に対応させて表示装置に表示させるステップと、ユーザ操作に応じて、表示装置に表示された複数コンテンツのサムネイルのいずれかを選択するステップと、選択された一のコンテンツのサムネイルの日付情報に対応する１または２以上のコンテンツのサムネイルを、時計回りに時刻の新しいコンテンツのサムネイルを配置して表示装置に表示させるステップと、を含む表示制御方法が提供される。
【００１９】
また、上記課題を解決するために、本発明の別の観点によれば、コンピュータを、複数コンテンツのサムネイルを、複数コンテンツのサムネイルの日時情報毎に、所定期間の日時情報を示す日時表示に対応させて表示装置に表示させる表示制御部と、ユーザ操作に応じて、表示装置に表示された複数コンテンツのサムネイルのいずれかを選択する選択部と、を備え、表示制御部は、選択部により選択された一のコンテンツのサムネイルの日付情報に対応する１または２以上のコンテンツのサムネイルを、時計回りに時刻の新しいコンテンツのサムネイルを配置して表示装置に表示させる、表示制御装置として機能させるための、プログラムが提供される。
【発明の効果】
【００２０】
以上説明したように本発明によれば、大量のコンテンツのなかから直感的に所望のコンテンツを探し出すことができる。
【発明を実施するための最良の形態】
【００２１】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２２】
また、以下に示す順序に従って、当該「発明を実施するための最良の形態」を説明する。
〔１〕本実施形態の目的
〔２〕表示制御装置のハードウェア構成
〔３〕表示制御装置の機能構成
〔４〕表示制御装置の動作
【００２３】
〔１〕本実施形態の目的
まず、本発明の実施形態の目的について説明する。近年、静止画像や動画像を撮像して記録するデジタルカメラやデジタルビデオカメラ等の機器や、テレビジョン放送などの映像をハードディスクドライブやＤＶＤ等に記録するビデオレコーダなどの機器が一般に普及している。更に、大容量のメモリカードやハードディスクドライブ装置の利用も一般化してきていることも相俟って、一般ユーザが大量のデジタル画像コンテンツ（以降、コンテンツとも称する。）を保有することが可能となった。
【００２４】
一方、大量のコンテンツを保有する機器の中から、ユーザが所望のデジタル画像コンテンツを探し出すことは困難である。また、大量のコンテンツを保有する機器でなくとも、複数の機器に接続されて、当該機器が保有するデジタル画像コンテンツを再生したりする機器の場合にも、同様にユーザ所望のコンテンツを探し出すことは困難であった。
【００２５】
そこで、ユーザが所望のコンテンツを高速に検索することを可能とするために、コンテンツに対応付けられた時系列情報に基づいて、コンテンツを並べて表示する技術が開示されている。しかし、コンテンツを単に時系列に並べて表示しても、表示されたコンテンツのなかから直感的に所望のコンテンツを探し出すことは困難であるという問題があった。そこで、上記のような事情を一着眼点として、本発明の実施形態にかかる表示制御装置１００が創作されるに至った。本実施形態にかかる表示制御装置１００によれば、大量のコンテンツのなかから直感的に所望のコンテンツを探し出すことができる。
【００２６】
本実施形態において、表示制御装置１００をディスプレイ等の表示装置とは別体の装置として構成したが、かかる例に限定されない。例えば、表示制御装置を表示装置と一体として構成してもよい。また、表示制御装置１００にコンテンツを記録する記録媒体を有する構成としてもよいし、他の機器に接続して、当該他の機器に保有しているコンテンツの情報を取得するようにしてもよい。
【００２７】
例えば、図１では、表示制御装置１００の一例として表示画面を有するテレビジョン受像機１００を例示して説明する。図１に示したように、テレビジョン受像機１００にＢＤレコーダ１０や、ＰＣ２０や、デジタルカメラ３０や、カムコーダ４０や、外付けＨＤＤ５０などの複数の機器が外部接続されている。この場合、各機器に保有されているコンテンツの情報を取得して、すべての機器に含まれるコンテンツから所望のコンテンツを直感的に探しだすことができる。
【００２８】
コンテンツの情報は、後述するコンテンツリスト（Ｃｏｎｔｅｎｔｓ  Ｌｉｓｔ）に含まれている。表示制御装置１００は、接続されている各機器からコンテンツリストを取得することにより、コンテンツの情報を得ることができる。表示制御装置１００は、接続されている各機器からすべてのコンテンツの情報を取得し、日時を示す表示とともにサムネイル等を表示制御装置１００に表示する。
【００２９】
これにより、ユーザは、どの機器にどのようなコンテンツが保有されているかを意識することなく、各機器の記録装置に記録されているコンテンツから透過的に所望のコンテンツを探し出すことができる。ユーザは、接続機器を意識せずに検索作業を行えるため、検索作業時のストレスを軽減することが可能となる。
【００３０】
〔２〕表示制御装置のハードウェア構成
次に、図２に基づいて、本実施形態にかかる表示制御装置１００のハードウェア構成について説明する。図２は、本実施形態にかかる表示制御装置１００のハードウェア構成を示すブロック図である。
【００３１】
図２は、本実施形態にかかる表示制御装置１００のハードウェア構成を示した説明図である。表示制御装置１００は、ＣＰＵ（Ｃｅｎｔｒａｌ  Ｐｒｏｃｅｓｓｉｎｇ  Ｕｎｉｔ）１０１と、ＲＯＭ（Ｒｅａｄ  Ｏｎｌｙ  Ｍｅｍｏｒｙ）１０２と、ＲＡＭ（Ｒａｎｄｏｍ  Ａｃｃｅｓｓ  Ｍｅｍｏｒｙ）１０３と、ホストバス１０４と、ブリッジ１０５と、外部バス１０６と、インタフェース１０７と、入力装置１０８と、出力装置１０９と、ストレージ装置（ＨＤＤ）１１０と、ドライブ１１１と、通信装置１１２とを備える。
【００３２】
ＣＰＵ１０１は、演算処理装置および制御装置として機能し、各種プログラムに従って表示制御装置１００内の動作全般を制御する。また、ＣＰＵ１０１は、マイクロプロセッサであってもよい。ＲＯＭ１０２は、ＣＰＵ１０１が使用するプログラムや演算パラメータ等を記憶する。ＲＡＭ１０３は、ＣＰＵ１０１の実行において使用するプログラムや、その実行において適宜変化するパラメータ等を一次記憶する。これらはＣＰＵバスなどから構成されるホストバス１０４により相互に接続されている。
【００３３】
ホストバス１０４は、ブリッジ１０５を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バスなどの外部バス１０６に接続されている。なお、必ずしもホストバス１０４、ブリッジ１０５および外部バス１０６を分離構成する必要はなく、一のバスにこれらの機能を実装してもよい。
【００３４】
入力装置１０８は、例えば、マウス、キーボード、タッチパネル、ボタン、マイク、スイッチおよびレバーなどユーザが情報を入力するための入力手段と、ユーザによる入力に基づいて入力信号を生成し、ＣＰＵ１０１に出力する入力制御回路などから構成されている。表示制御装置１００のユーザは、該入力装置１０８を操作することにより、表示制御装置１００に対して各種のデータを入力したり処理動作を指示したりすることができる。
【００３５】
出力装置１０９は、例えば、ＣＲＴ（Ｃａｔｈｏｄｅ  Ｒａｙ  Ｔｕｂｅ）ディスプレイ装置、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｓｐｌａｙ）装置およびランプなどの表示装置と、スピーカおよびヘッドホンなどの音声出力装置で構成される。出力装置１０９は、例えば、再生されたコンテンツを出力する。具体的には、表示装置は再生された映像データ等の各種情報をテキストまたはイメージで表示する。一方、音声出力装置は、再生された音声データ等を音声に変換して出力する。
【００３６】
ストレージ装置１１０は、本実施形態にかかる表示制御装置１００の記憶部の一例として構成されたデータ格納用の装置である。ストレージ装置１１０は、記憶媒体、記憶媒体にデータを記録する記録装置、記憶媒体からデータを読み出す読出し装置および記憶媒体に記録されたデータを削除する削除装置などを含んでもよい。ストレージ装置１１０は、例えば、ＨＤＤ（Ｈａｒｄ  Ｄｉｓｋ  Ｄｒｉｖｅ）で構成される。このストレージ装置１１０は、ハードディスクを駆動し、ＣＰＵ１０１が実行するプログラムや各種データを格納する。また、このストレージ装置１１０には、コンテンツデータ、メタデータ、および装置データなどが記録される。
【００３７】
ドライブ１１１は、記憶媒体用リーダライタであり、表示制御装置１００に内蔵、あるいは外付けされる。ドライブ１１１は、装着されている磁気ディスク、光ディスク、光磁気ディスク、または半導体メモリ等のリムーバブル記憶媒体１２０に記録されている情報を読み出して、ＲＡＭ１０３に出力する。
【００３８】
通信装置１１２は、例えば、通信網１２１に接続するための通信デバイス等で構成された通信インタフェースである。また、通信装置１１２は、無線ＬＡＮ（Ｌｏｃａｌ  Ａｒｅａ  Ｎｅｔｗｏｒｋ）対応通信装置であっても、ワイヤレスＵＳＢ対応通信装置であっても、有線による通信を行うワイヤー通信装置であってもよい。この通信装置１１２は、外部機器との間で、通信網１２１を介して、コンテンツデータ、コンテンツリストなどの各種データを送受信する。
【００３９】
〔３〕表示制御装置の機能構成
以上、図２を参照して本実施形態にかかる表示制御装置１００のハードウェア構成を説明した。次に、図３を参照して、本実施形態にかかる表示制御装置１００の機能を説明する。
【００４０】
図３は、本実施形態にかかる表示制御装置１００の機能構成を示したブロック図である。図３に示したように、本実施形態にかかる表示制御装置１００は、取得部１５２と、分類部１５４と、選択部１５６と、表示制御部１５８などを備える。
【００４１】
取得部１５２は、表示制御装置１００に外部接続されている他の機器に記録されているコンテンツのサムネイルおよび日時情報を含むコンテンツリストを取得する機能を有する。取得部１５２は、取得したコンテンツリストを分類部１５４に提供する。
【００４２】
ここで、図４を参照して、取得部１５２により取得されるコンテンツリスト３００について説明する。図４は、コンテンツリスト３００の内容について説明する説明図である。図４に示したように、コンテンツリスト３００は、コンテンツのファイル名、タイトル、開始時刻、継続時間、コンテンツのサムネイル画像へのパス、機器を識別可能な識別情報等を示す機器名、機器のルート（ｒｏｏｔ）からのパス、ジャンル、番組情報等その他必要な情報を含む。
【００４３】
本実施形態では、表示制御装置１００に外部接続されている他の機器からコンテンツリスト３００を取得することにより、他の機器に記録されているコンテンツのサムネイルのすべてを透過的に表示装置２００に表示させることが可能となる。したがって、ユーザは、どの機器にどのコンテンツが記録されているかを意識する必要がなくなるため、ユーザのストレスを軽減することが可能となる。
【００４４】
図３に戻り、分類部１５４は、取得部１５２により取得された複数のコンテンツリストをコンテンツリストに含まれる日時情報に基づいてコンテンツのサムネイルを分類する機能を有する。上記したように、取得部１５２は、他の機器に記録されている複数のコンテンツのコンテンツリストを取得して分類部１５４に提供する。分類部１５４は、複数のコンテンツリストに含まれるコンテンツのサムネイルを、コンテンツリストの日付ごとに分類したり、日時で並べ替えたりする。分類部１５４は、分類したコンテンツのサムネイルの情報を表示制御部１５８に提供する。
【００４５】
表示制御部１５８は、複数のコンテンツのサムネイルを、複数のコンテンツのサムネイルの日時情報毎に、所定期間の日時情報を示す日時表示に対応させて表示装置２００に表示させる機能を有する。所定期間の日時情報を示す日時表示とは、例えば、１週間分の日付および時刻情報を時系列に並べた表示や、１ヶ月分の日付情報をカレンダー上に並べた表示などをいう。複数のコンテンツのサムネイルは、所定期間の日時情報とともに表示される。
【００４６】
また、表示制御部１５８は、日時表示とともに、コンテンツのタイトルを表示装置２００に表示してもよい。また、コンテンツのサムネイルとともに、コンテンツの開始時刻を表示したり、コンテンツの継続時間等コンテンツの長さを示す情報を表示したりするようにしてもよい。
【００４７】
選択部１５６は、ユーザ操作に応じて、表示装置２００に表示された複数のコンテンツのサムネイルのいずれかを選択する機能を有する。ユーザは、リモコン等を操作することにより、表示装置２００に表示された複数のコンテンツのサムネイルのいずれかを選択する。また、選択部１５６は、ユーザ操作に応じて、表示画面をスクロールさせて日時情報により示された時間軸を左右にシフトさせるようにしてもよい。
【００４８】
また、表示制御部１５８は、選択部１５６により選択された一のコンテンツのサムネイルの日付情報に対応する１または２以上のコンテンツのサムネイルを、時計回りに時刻の新しいコンテンツのサムネイルを配置して表示装置２００に表示させる。また、１週１２時間の時計表示に対応させて、コンテンツのサムネイルを時計回りに時刻の新しいコンテンツのサムネイルを配置して表示装置２００に表示させるようにしてもよい。
【００４９】
ここで、図５〜図９を参照して、所定期間の日時情報を時系列に並べて表示させた日時表示に対応させてコンテンツのサムネイルを表示装置２００に表示した場合の画面表示例について説明する。
【００５０】
図５は、複数コンテンツのサムネイルを、所定期間の日時情報を時系列に並べて表示させた日時表示に対応させて表示装置２００に表示させた場合の表示画面５０１を説明する説明図である。表示画面５０１では、スクロールボタン５０１４を押下することにより、表示制御装置１００に接続されている外部機器に記録されているすべてのコンテンツを同時に表示させることが可能となる。
【００５１】
図５に示したように、日時表示５０１１は、例えば、ユーザが選択しているコンテンツのサムネイルを含む３日間の日時を示す表示とすることができる。日時表示５０１１は、３日間の日付と午前および午後を組み合わせた日時表示としている。そして、日時表示５０１１に対応させて、該当する日時情報を属性情報として有するコンテンツのサムネイル５０１３を表示する。本実施形態では、上記したコンテンツリストの開始時刻と日時表示５０１１とを対応させて表示する。
【００５２】
また、ユーザが選択しているコンテンツのサムネイル５０１８については、当該コンテンツの開始時刻および終了時刻を含む表示５０１９をサムネイル５０１８とともに表示させるようにしてもよい。また、コンテンツのサムネイル５０１３とともに、当該コンテンツが記録されている機器を示す表示５０１２を表示するようにしてもよい。これにより、表示画面５０１に表示されているコンテンツが表示制御装置１００に外部接続されているどの機器に記録されているのかをユーザが知ることが可能となる。
【００５３】
また、日付情報５０１５とともに、当該日付に対応するコンテンツの個数を示す表示５０１６を表示させるようにしてもよい。これにより、ユーザは、どの時期にどれくらいの個数のコンテンツが存在しているのかを直感的に知ることが可能となる。
【００５４】
図６は、複数コンテンツのタイトルのみを所定期間の日時情報を時系列に並べて表示させた日時表示に対応させて表示装置２００に表示させた場合の表示画面５０２を説明する説明図である。図６に示したように、表示画面５０２には、日付情報５０２１に対応させて、コンテンツのタイトル５０２２が表示される。また、表示画面５０１と同様に、日付情報５０２３とともに、当該日付に対応するコンテンツの個数を示す表示５０２４を表示させるようにしてもよい。
【００５５】
次に、図７〜図９を参照して、複数コンテンツのサムネイルを所定期間の日時情報を時系列に並べて表示させた日時表示に対応させて表示装置２００に表示させた場合の他の例について説明する。図７は、複数のコンテンツのサムネイルを表示画面５０３にタイル状に時系列に表示させた場合の表示画面５０３を説明する説明図である。
【００５６】
図７に示したように、表示画面５０３には、複数のコンテンツのサムネイルがタイル状に時系列に表示される。ユーザ操作により表示画面５０３のスクロールバー５０３４が押下されることにより、すべてのコンテンツのサムネイルを表示させることが可能となる。そして、表示画面５０３の上部に、日時情報を示す表示５０３１とともに、当該日時に対応するコンテンツの個数を示す表示５０３２を表示するようにしてもよい。また、ユーザが選択しているコンテンツを明示的に表示させるフォーカス表示５０３３を表示させてもよい。
【００５７】
また、ユーザが選択しているコンテンツのサムネイルについては、当該コンテンツの開始時刻および終了時刻を含む表示をサムネイルとともに表示させるようにしてもよい。また、拡大／縮小ボタン５０３５が選択されることにより、表示されるコンテンツのサムネイルを表示させる所定期間を拡大したり縮小したりすることが可能となる。すなわち、コンテンツのサムネイルのすべてを表示させる表示画面５０３において縮小ボタンが選択された場合には、所定の１週間に含まれるコンテンツのサムネイルを表示させたり、所定の１日に含まれるコンテンツのサムネイルを表示させたりすることができる。拡大／縮小ボタン５０３５は、ユーザ操作されるリモコン等のボタンであってもよい。
【００５８】
図８は、特定の１週間分のコンテンツのサムネイルを表示させる表示画面を説明する説明図である。また、図９は、特定の１日分のコンテンツのサムネイルを表示させる表示画面を説明する説明図である。図８に示したように、特定の１週間の日付に対応するコンテンツのサムネイルを表示させる場合（表示画面５０４）には、すべてのコンテンツのサムネイルを表示させる場合（表示画面５０３）よりも、表示される各サムネイルを大きくして、さらにコンテンツのタイトル等をサムネイルとともに表示させるようにしてもよい。
【００５９】
また、図９に示したように、特定の１日の日付に対応するコンテンツのサムネイルを表示させる場合（表示画面５０５）には、特定の１週間の日付に対応するコンテンツのサムネイルを表示させる場合（表示画面５０４）よりも、表示される各サムネイルを大きくしてもよい。
【００６０】
表示画面５０４と同様に、コンテンツのサムネイルとともにコンテンツのタイトル等を表示させるようにしてもよいし、記録されたコンテンツの存在を示す表示５０５１を日時表示とともに表示させてもよい。また、記録されたコンテンツの存在を示す表示５０５１は、コンテンツの記録時間を視覚的に表示させるようにしてもよい。これにより、ユーザは、いつ、どれくらいの記録時間のコンテンツが記録されているかを直感的に知ることが可能となる。
【００６１】
次に、図１０および図１１を参照して、複数のコンテンツのサムネイルを、所定期間の日付情報をカレンダー上に並べて表示させた日付表示に対応させて表示装置２００に表示させる場合について説明する。図１０は、複数のコンテンツのサムネイルをカレンダー上に並べて表示させた表示画面５０６を説明する説明図である。図１０に示したように、複数のコンテンツのサムネイルは、日付表示とともにカレンダー上に並べて表示される。
【００６２】
カレンダー上の同一日付に複数のコンテンツのサムネイルが存在する場合には、複数のサムネイルのなかから一つのサムネイルを表示させるようにしてもよい。表示させるサムネイルは、記録時間のもっとも早いコンテンツのサムネイルでもよいし、人の顔が含まれているコンテンツのサムネイルでもよい。または、ユーザ操作により予め代表的なコンテンツが設定されている場合には、当該コンテンツのサムネイルを表示させるようにしてもよい。
【００６３】
また、拡大／縮小ボタン５０６２が選択されることにより、表示されるコンテンツの表示される日時の縮尺を変更するようにしてもよい。例えば、コンテンツのサムネイルをカレンダー上に表示された表示画面５０６の縮小ボタンが選択された場合には、特定の１週間や特定の１日に含まれるコンテンツのサムネイルを表示させてもよい。拡大／縮小ボタン５０３５は、ユーザ操作されるリモコン等のボタンであってもよい。
【００６４】
例えば、図１１の表示画面５０７に示したように、特定の日付を示す日付表示５０７１とともに、当該日付に対応するコンテンツのサムネイルを表示させるようにしてもよい。また、例えば、リモコン等の上下の矢印キーを操作することにより、日付表示を変更させるようにしてもよい。日付表示が変更された場合には、当該日付表示の変更とともに、コンテンツのサムネイルの表示も当該日付に対応するコンテンツのサムネイルに変更される。
【００６５】
また、リモコン等の左右の矢印キーや「＜＜」キーや「＞＞」キー等を押下することにより表示される週や月を変更させるようにしてもよい。これにより、ユーザは、日付等に対応させてどのようなコンテンツが記録されているから直感的に把握することが可能となる。
【００６６】
次に、図１２および図１３を参照して、時計回りに時刻の新しいコンテンツのサムネイルを配置して表示装置２００に表示する場合について説明する。図１２は、特定の日付のコンテンツのサムネイルを、時計周りに時刻の新しいコンテンツのサムネイル５０８１を配置して表示している。また、コンテンツのサムネイル５０８１とともに、コンテンツの長さを示す表示５０８２を表示するようにしてもよい。コンテンツの長さは、円周上の帯の長さにより表示するようにしてもよい。また、ユーザにより選択されているコンテンツのサムネイル５０８１のタイトル、開始時刻および終了時刻を示す表示５０８３を表示するようにしてもよい。
【００６７】
また、表示画面５０８は、図５〜図１１に示した表示画面５０１〜５０７から、ユーザ操作に応じて画面を遷移させて表示させるようにしてもよい。例えば、図５に示した時系列形式の表示画面５０１に表示されたコンテンツのサムネイルを、ユーザ操作により選択された場合に、当該コンテンツの日付情報に対応するコンテンツのサムネイルを表示画面５０８に表示させるようにしてもよい。
【００６８】
同様に、図７〜９に示した表示画面５０３〜５０５に表示されたコンテンツのサムネイルの１つを選択した場合に、表示画面５０８に遷移するようにしてもよい。また、カレンダー形式で表示される表示画面５０６や表示画面５０７に表示されたコンテンツのサムネイルの１つを選択した場合に、表示画面５０８に遷移するようにしてもよい。
【００６９】
また、表示画面５０８が表示された後に、リモコン等の左右の矢印キーや「＜＜」キーや「＞＞」キー等を押下することにより表示されている日付を変更させるようにしてもよい。これにより、ユーザは、外部機器等に記録されているコンテンツを直感的に把握することが可能となる。
【００７０】
また、図１３に示したように、１週１２時間の時計表示に対応させて時計回りに時刻の新しいコンテンツのサムネイルを配置して表示装置２００に表示させるようにしてもよい。図１３に示したように、１週１２時間の時計表示に対応させてコンテンツのサムネイルを表示させることにより、ユーザは、どの時間にどのコンテンツが記録されているかを直感的に把握することが可能となる。また、矢印キー５０９１を押下することにより、１２時間ごとの過去、未来の時刻に変更させて、表示画面５０９に表示されるコンテンツのサムネイルを、変更した日時に対応するコンテンツのサムネイルに変更することができる。
【００７１】
また、複数のコンテンツのサムネイルが記録されている時間帯のみを指定して、当該時間帯に含まれているコンテンツのサムネイルのみ表示させるようにしてもよい。本実施形態では、記録されているすべてのコンテンツを対象としているが、かかる例に限定されない。例えば、記録されているすべてのコンテンツのなかから、ユーザに指定されたジャンルのコンテンツのサムネイルのみを表示させるようにしてもよい。また、コンテンツ提供者側によりおすすめされるコンテンツのサムネイルのみを表示させるようにしてもよい。
【００７２】
〔４〕表示制御装置の動作
以上、画面表示例について説明した。次に、図１４を参照して、表示制御装置１００の表示制御方法について説明する。図１４は、表示制御装置１００の表示制御方法について説明するフローチャートである。
【００７３】
図１４に示したように、表示制御装置１００は、まず、表示制御装置１００に接続されている外部機器を探索する（Ｓ１０２）。上記したように、表示制御装置１００には、デジタルカメラ、デジタルビデオカメラ、ビデオレコーダ等の外部機器が接続されているため、ステップＳ１０２において表示制御装置１００は外部機器を探索する。
【００７４】
ステップＳ１０２において接続している外部機器の探索を実行した結果、接続している外部機器があるか否かを判定する（Ｓ１０４）。ステップＳ１０４において、接続している機器があると判定された場合には、当該接続している機器に記憶されているコンテンツのコンテンツリストを取得する（Ｓ１０６）。そして、ステップＳ１０４に戻り、他に接続している外部機器があるか否かを再度判定する。
【００７５】
ステップＳ１０４において、他に接続している外部機器がないと判定された場合には、ステップＳ１０６において取得したコンテンツリストのすべてを収集する（Ｓ１０８）。ステップＳ１０８において、コンテンツリストのすべてが収集されると、表示制御装置１００に接続している外部機器に記録されているコンテンツのコンテンツリストのすべてを表示制御装置１００が保有することとなる。
【００７６】
そして、すべてのコンテンツリストを収集したか否かを判定する（Ｓ１１０）。ステップＳ１１０においてすべてのコンテンツリストを収集していないと判定した場合には、再度ステップＳ１０８のコンテンツリストの収集処理を実行する。ステップＳ１１０において、すべてのコンテンツリストを収集したと判定された場合には、表示制御装置１００に備わる分類部１５４によりコンテンツリストの分類を実行する（Ｓ１１２）。
【００７７】
ステップＳ１１２において、コンテンツリストの分類を実行した後に、タイムライン表示の呼び出しを行う（Ｓ１１４）。ステップＳ１１４におけるタイムライン表示の呼び出しとは、表示装置２００に表示されている表示画面上に、時系列形式またはカレンダー形式によるタイムラインを表示させるための呼び出しを実行することをいう。
【００７８】
例えば、表示画面上のメニュー画面から選択するようにしてもよいし、リモコン上の操作キーによりタイムライン表示を選択させるようにしてもよい。ステップＳ１１４においてタイムライン表示の呼び出しが行われた場合には、表示画面上にタイムラインを表示する（Ｓ１１６）。
【００７９】
ステップＳ１１６において表示されるタイムライン表示は、日時情報とともにコンテンツのサムネイルを表示することをいう。すなわち、上記した図５〜図１３のいずれかを表示させることをいう。以上、表示制御装置１００の表示制御方法について説明した。
【００８０】
本実施形態にかかる表示制御装置１００によれば、複数コンテンツのサムネイルを、複数のコンテンツのサムネイルの日時情報毎に、所定期間の日時情報を示す日時表示に対応させて表示装置２００に表示させ、表示された複数コンテンツのサムネイルのいずれかを選択すると、選択された一のコンテンツのサムネイルの日付情報に対応する１または２以上のコンテンツのサムネイルを時計周りに時刻の新しいコンテンツのサムネイルを配置して表示装置２００に表示する。これにより、日時情報とともにコンテンツのサムネイルが表示されるため、ユーザは、いつ頃のコンテンツが存在しているのかを直感的に把握することが可能となる。
【００８１】
また表示制御装置１００に複数の外部機器が接続されている場合には、複数の外部機器に記録されているコンテンツリストを取得して、当該コンテンツリストに含まれているコンテンツのサムネイルの日時情報毎に分類するようにしてもよい。これにより、複数の外部機器に記録されているコンテンツリストのすべてを収集して日付毎または日付および時間ごとに分類することが可能となり、記録されている外部機器を意識することなく、透過的にすべてのコンテンツを把握することが可能となる。
【００８２】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【図面の簡単な説明】
【００８３】
【図１】本発明の一実施形態にかかる表示制御装置の構成例を示すブロック図である。
【図２】同実施形態にかかる表示制御装置のハードウェア構成を示すブロック図である。
【図３】同実施形態にかかる表示制御装置の機能構成を示したブロック図である。
【図４】同実施形態にかかるコンテンツリストの内容について説明する説明図である。
【図５】同実施形態にかかるコンテンツのサムネイルを表示装置に表示した場合の画面表示例について説明する説明図である。
【図６】同実施形態にかかるコンテンツのサムネイルを表示装置に表示した場合の画面表示例について説明する説明図である。
【図７】同実施形態にかかるコンテンツのサムネイルを表示装置に表示した場合の画面表示例について説明する説明図である。
【図８】同実施形態にかかるコンテンツのサムネイルを表示装置に表示した場合の画面表示例について説明する説明図である。
【図９】同実施形態にかかるコンテンツのサムネイルを表示装置に表示した場合の画面表示例について説明する説明図である。
【図１０】同実施形態にかかるコンテンツのサムネイルを表示装置に表示した場合の画面表示例について説明する説明図である。
【図１１】同実施形態にかかるコンテンツのサムネイルを表示装置に表示した場合の画面表示例について説明する説明図である。
【図１２】同実施形態にかかるコンテンツのサムネイルを表示装置に表示した場合の画面表示例について説明する説明図である。
【図１３】同実施形態にかかるコンテンツのサムネイルを表示装置に表示した場合の画面表示例について説明する説明図である。
【図１４】同実施形態にかかる表示制御方法について説明するフローチャートである。
【符号の説明】
【００８４】
１００    表示制御装置
１５２    取得部
１５４    分類部
１５６    選択部
１５８    表示制御部
【図１】
2010033132.tif 000003
【図２】
2010033132.tif 000004
【図３】
2010033132.tif 000005
【図４】
2010033132.tif 000006
【図５】
2010033132.tif 000007
【図６】
2010033132.tif 000008
【図７】
2010033132.tif 000009
【図８】
2010033132.tif 000010
【図９】
2010033132.tif 000011
【図１０】
2010033132.tif 000012
【図１１】
2010033132.tif 000013
【図１２】
2010033132.tif 000014
【図１３】
2010033132.tif 000015
【図１４】
2010033132.tif 000016